【手続補正書】
【提出日】平成15年7月9日(2003.7.9)
【手続補正１】
【補正対象書類名】明細書
【補正対象項目名】特許請求の範囲
【補正方法】変更
【補正の内容】
【特許請求の範囲】
【請求項１】
車両上の位置の場所を決定するための、位置決定システムとともに用いられるターゲットシステムであって、
ターゲット本体と、
前記ターゲット本体上に配置され、前記位置決定システムにより検出可能である、１つ以上のターゲット要素と、
前記ターゲット本体から延びるポイント規定器とを含み、前記ポイント規定器は、前記車両上の前記位置に隣接して設けることができるポイントを含み、
前記位置決定システムは、前記ターゲット本体上に配置された前記ターゲット要素を検出した後に前記ターゲット本体の場所を決定する、ターゲットシステム。
【請求項２】
前記ポイント規定器上の前記ポイントは、前記ターゲット本体からの既知の場所にある、請求項１に記載のシステム。
【請求項３】
前記ポイントは、前記ポイント規定器の遠端にある、請求項１に記載のシステム。
【請求項４】
前記ポイントは、前記ポイント規定器の前記遠端にある円錐形の突起の頂点にある、請求項３に記載のシステム。
【請求項５】
前記ポイント規定器は、前記ターゲット本体に対し異なった場所に前記ポイントを位置決めすることを可能にする１つ以上の接合部を含む、請求項１に記載のシステム。
【請求項６】
前記１つ以上の接合部の各々は、前記ターゲット本体に対する１本以上の軸での前記ポイントの回転を許す、請求項５に記載のシステム。
【請求項７】
前記ポイント規定器は、前記ターゲット本体に対する１本の回転軸を前記ポイントに許し、前記ポイントは３つの位置のうちいずれかに位置決め可能である、請求項５に記載のシステム。
【請求項８】
各接合部は、前記ターゲット本体に対する前記ポイントの動きを選択的に防ぐかまたは許すためのロックを含む、請求項５に記載のシステム。
【請求項９】
前記位置決定システムによる前記ターゲットシステムの検出を作動させるためのトリガをさらに含む、請求項１に記載のシステム。
【請求項１０】
前記トリガは前記ターゲット本体上に位置決めされ、前記位置決定システムから隔たっている、請求項９に記載のシステム。
【請求項１１】
前記トリガは、前記位置決定システムによる前記ターゲット要素のうち１つ以上の検出を選択的に変化させて前記位置決定システムを作動させる、請求項９に記載のシステム。
【請求項１２】
前記トリガは２つの位置間で動くことができ、前記２つの位置のうち第１の位置では、前記トリガは前記位置決定システムから前記１つ以上のターゲット要素を隠し、前記２つの位置のうち第２の位置では、前記トリガは前記１つ以上のターゲット要素を前記位置決定システムに晒す、請求項１１に記載のシステム。
【請求項１３】
前記ターゲット要素は前記本体に沿った単一の線上に位置決めされる、請求項１に記載のシステム。
【請求項１４】
前記単一の線は、前記ターゲット本体の縦軸と実質的に平行である、請求項１３に記載のシステム。
【請求項１５】
前記ターゲット本体の位置を前記車両に対して、および前記ポイント規定器上の前記ポイントを前記車両上の設けられるべき位置に対して安定させるための、装着装置をさらに含む、請求項１３に記載のシステム。
【請求項１６】
前記装着装置は、装着アームと、前記車両への着脱可能接続のためのコネクタとを含み、前記装着アームは、第１のピボットにより前記ターゲット本体に装着され、第２のピボットにより前記コネクタに装着される、請求項１３に記載のシステム。
【請求項１７】
前記ターゲット本体の位置を前記車両に対して、および前記ポイントを前記車両上の設けられるべき位置に対して安定させるための、装着装置をさらに含む、請求項１に記載のシステム。
【請求項１８】
前記装着装置は、前記ポイント規定器が装着される受部と、前記車両に接続するコネクタとをさらに含む、請求項１７に記載のシステム。
【請求項１９】
前記受部は、前記ポイント規定器上の前記ポイントに対する前記装着装置の位置を規定する基準特徴部を含む、請求項１８に記載のシステム。
【請求項２０】
前記コネクタは、設けられるべき前記車両上の位置と、前記基準特徴部との間の位置関係を規定する、請求項１９に記載のシステム。
【請求項２１】
前記受部は円筒形の凹部を規定し、前記円筒形の凹部には前記ポイント規定器の或る部分が挿入される、請求項１８に記載のシステム。
【請求項２２】
前記受部は、前記ポイント規定器上の前記ポイントに対する前記コネクタの位置を規定する基準特徴部を含む、請求項１８に記載のシステム。
【請求項２３】
前記装着装置は、前記車両のストラットに装着されるように適合される、請求項１８に記載のシステム。
【請求項２４】
前記基準特徴部および前記受部は、３本の軸における前記装着装置に対する前記ポイント規定器の動きを防ぐ、請求項２３に記載のシステム。
【請求項２５】
前記基準特徴部は前記凹部の或る部分に隣接する平面である、請求項２４に記載のシステム。
【請求項２６】
車両上の位置の場所を決定するための、位置決定システムとともに用いられるターゲットシステムであって、
ターゲット本体と、
前記ターゲット本体上に配置され、前記位置決定システムにより検出可能である、１つ以上のターゲット要素と、
前記ターゲット本体上に前記位置決定システムから隔たって位置決めされるトリガとを含み、前記トリガは、前記位置決定システムによる前記ターゲット要素のうち１つ以上の検出を選択的に変化させることで前記位置決定システムを作動させ、前記ターゲットシステムはさらに、
前記ターゲット本体から延びるポイント規定器を含み、前記ポイント規定器は前記ポイント規定器の遠端にあるポイントを含み、前記ポイントは、前記車両上の前記位置に隣接して設けられ、前記ポイントは前記ターゲット本体からの既知の場所にあり、
前記位置決定システムは、前記ターゲット本体上に配置された前記ターゲット要素を検出した後に前記ターゲット本体の場所を決定する、ターゲットシステム。
【請求項２７】
車両上の位置の場所を決定するための、位置決定システムとともに用いられるターゲットシステムであって、
ターゲット本体と、
前記位置決定システムにより検出可能であり、単一の線に沿って前記ターゲット本体上に配置される、１つ以上のターゲット要素とを含み、前記単一の線は、前記ターゲット本体の縦軸と実質的に平行であり、前記ターゲットシステムはさらに、
前記ターゲット本体から延びるポイント規定器を含み、前記ポイント規定器は、前記車両上の前記位置に隣接して設けることができるポイントを含み、前記ポイントは前記ターゲット本体からの既知の場所にあり、前記ターゲットシステムはさらに、
前記ターゲット本体の位置を前記車両に対して、および前記ポイント規定器上の前記ポイントを前記車両上の設けられるべき位置に対して安定させるための、装着装置を含み、前記装着装置は、装着アームと、前記車両への着脱可能接続のためのコネクタとを含み、前記装着アームは、第１のピボットにより前記ターゲット本体に装着され、第２のピボットにより前記コネクタに接続され、
前記位置決定システムは、前記ターゲット本体上に配置された前記ターゲット要素を検出した後に前記ターゲット本体の場所を決定する、ターゲットシステム。
【請求項２８】
車両上の位置の場所を決定するための位置決定システムであって、
視覚画像化システムと、
ターゲットシステムとを含み、前記ターゲットシステムは、
ターゲット本体と、
前記ターゲット本体上に配置され前記位置決定システムにより検出可能である１つ以上のターゲット要素と、
前記ターゲット本体から延びるポイント規定器とを含み、前記ポイント規定器は、前記車両上の前記位置に隣接して設けることができるポイントを含み、
前記視覚画像化システムは、前記ターゲット本体上に配置された前記ターゲット要素を検出した後に前記ターゲット本体の場所を決定する、位置決定システム。
【請求項２９】
前記ポイント規定器上の前記ポイントは、前記ターゲット本体からの既知の場所にある、請求項２８に記載のシステム。
【請求項３０】
前記ポイントは前記ポイント規定器の遠端にある、請求項２８に記載のシステム。
【請求項３１】
前記ポイントは、前記ポイント規定器の前記遠端にある円錐形の突起の頂点にある、請求項３０に記載のシステム。
【請求項３２】
前記ポイント規定器は、前記ターゲット本体に対し異なった場所に前記ポイントを位置決めすることを可能にする１つ以上の接合部を含む、請求項２８に記載のシステム。
【請求項３３】
前記１つ以上の接合部の各々は、前記ターゲット本体に対する１本以上の軸での前記ポイントの回転を許す、請求項３２に記載のシステム。
【請求項３４】
前記ポイント規定器は、前記ターゲット本体に対する１本の回転軸を前記ポイントに許す１つの接合部を含み、前記ポイントは３つの位置のうちいずれかに位置決め可能である、請求項３２に記載のシステム。
【請求項３５】
各接合部は、前記ターゲット本体に対する前記ポイントの動きを選択的に防ぐかまたは許すためのロックを含む、請求項３２に記載のシステム。
【請求項３６】
前記視覚画像化システムによる前記ターゲットシステムの検出を作動させるためのトリガをさらに含む、請求項２８に記載のシステム。
【請求項３７】
前記トリガは、前記ターゲット本体上に位置決めされ、前記視覚画像化システムから隔たっている、請求項３６に記載のシステム。
【請求項３８】
前記トリガは、前記視覚画像化システムによる前記ターゲット要素のうち１つ以上の検出を選択的に変化させることで前記位置決定システムを作動させる、請求項３６に記載のシステム。
【請求項３９】
前記トリガは第１の位置と第２の位置との間で動くことができ、第１の位置では、前記トリガは前記視覚画像化システムから前記１つ以上のターゲット要素を隠し、前記第２の位置では、前記トリガは前記１つ以上のターゲット要素を前記視覚画像化システムに晒す、請求項３８に記載のシステム。
【請求項４０】
前記ターゲット要素は前記ターゲット本体に沿った単一の線に位置決め可能である、請求項２８に記載のシステム。
【請求項４１】
前記単一の線は、前記ターゲット本体の縦軸と実質的に平行である、請求項４０に記載のシステム。
【請求項４２】
前記ターゲット本体の位置を前記車両に対して、および前記ポイントを前記車両上の設けられるべき位置に対して安定させるための、装着装置をさらに含む、請求項４０に記載のシステム。
【請求項４３】
前記装着装置は、装着アームと、前記車両への着脱可能接続のためのコネクタとを含み、前記装着アームは、第１のピボットにより前記ターゲット本体に装着され、第２のピボットにより前記コネクタに接続される、請求項４０に記載のシステム。
【請求項４４】
前記ターゲット本体の位置を前記車両に対して、および前記ポイント規定器上の前記ポイントを前記車両の設けられるべき位置に対して安定させるための、装着装置をさらに含む、請求項２８に記載のシステム。
【請求項４５】
前記装着装置は、前記ポイント規定器が装着される受部と、前記車両に接続するコネクタとをさらに含む、請求項４４に記載のシステム。
【請求項４６】
前記受部は、前記ポイント規定器上の前記ポイントに対する前記装着装置の位置を規定する基準特徴部を含む、請求項４５に記載のシステム。
【請求項４７】
前記コネクタは、設けられるべき前記車両上の位置と前記基準特徴部との間の位置関係を規定する、請求項４６に記載のシステム。
【請求項４８】
前記受部は円筒形の凹部を規定し、前記円筒形の凹部には前記ポイント規定器の或る部分が挿入される、請求項４５に記載のシステム。
【請求項４９】
前記装着装置は、前記車両のストラットに装着されるように適合される、請求項４５に記載のシステム。
【請求項５０】
前記受部は円筒形の凹部を規定し、前記円筒形の凹部には前記ポイント規定器の或る部分が挿入される、請求項４５に記載のシステム。
【請求項５１】
前記基準特徴部および前記受部は、３本の軸における前記装着装置に対する前記ポイント規定器の動きを防ぐ、請求項５０に記載のシステム。
【請求項５２】
前記基準特徴部は前記凹部の或る部分に隣接する平面である、請求項５１に記載のシステム。
【請求項５３】
車両上の位置の場所を決定するための位置決定システムであって、
視覚画像化システムと、
ターゲットシステムとを含み、前記ターゲットシステムは、
ターゲット本体と、
前記ターゲット本体上に配置され前記視覚画像化システムにより検出可能である１つ以上のターゲット要素と、
前記ターゲット本体上に前記視覚決定システムから隔たって位置決めされたトリガとを含み、前記トリガは、前記視覚決定システムによる前記ターゲット要素のうち１つ以上の検出を選択的に変化させることで前記視覚決定システムを作動させ、前記ターゲットシステムはさらに、
前記ターゲット本体から延びるポイント規定器を含み、前記ポイント規定器は、前記ポイント規定器の遠端にあるポイントを含み、前記ポイントは、前記車両上の前記位置に隣接して設けることができ、前記ポイントは前記ターゲット本体からの既知の場所にあり、
前記視覚画像化システムは、前記ターゲット本体上に配置された前記ターゲット要素を検出した後に前記ターゲット本体の場所を決定する、位置決定システム。
【請求項５４】
車両上の位置の場所を決定するための位置決定システムであって、
視覚画像化システムと、
ターゲットシステムとを含み、前記ターゲットシステムは、
ターゲット本体と、
前記視覚決定システムにより検出可能であり、単一の線に沿って前記ターゲット本体上に配置された、１つ以上のターゲット要素とを含み、前記単一の線は前記本体の縦軸と実質的に平行であり、前記ターゲットシステムはさらに、
前記ターゲット本体から延びるポイント規定器を含み、前記ポイント規定器は、前記車両上の前記位置に隣接して設けることができるポイントを含み、前記ポイントは前記ターゲット本体からの既知の場所にあり、前記ターゲットシステムはさらに、
前記ターゲット本体の位置を前記車両に対して、および前記ポイント規定器上の前記ポイントを前記車両上の設けられるべき位置に対して安定させるための、装着装置を含み、前記装着装置は、装着アームと、前記車両への着脱可能接続のためのコネクタとを含み、前記装着アームは、第１のピボットにより前記ターゲット本体に装着され、第２のピボットにより前記コネクタに装着され、
前記視覚画像化システムは、前記ターゲット本体上に配置された前記ターゲット要素を検出した後に前記ターゲット本体の場所を決定する、位置決定システム。
示される。
【手続補正２】
【補正対象書類名】図面
【補正対象項目名】図１２
【補正方法】変更
【補正の内容】
【図１２】
2004502153.tif 000001